(57)【要約】  逆流防止デバイス（１）は、少なくとも２つのポート（２１、２２）を備える入口チャンバ（２）と、ここで第１のポート（２１）が流体を受け取るために使用され、分離部材（６１）およびリリーフ弁（６２）を備えるチャンバ分離構成要素（６）と、分離部材（６１）によって入口チャンバ（２）から分離された出口チャンバ（４）とを備え、リリーフ弁（６２）は、出口チャンバ（４）のドレインポート（４３）を開放または閉鎖するために分離部材（６１）と動作的に接続され、分離部材（６１）に適用された差圧によってリリーフ弁（６２）が閉鎖されたときにのみ、流体は、出口チャンバ（４）から送出されることが可能にされる。透析装置は逆流防止デバイス（１）を備える。逆流防止デバイス（１）は、単純な構造、低減されたデッドスペース、および小型サイズを有し、確実に動作することができる。【選択図】図１
2021506502.tif 000002
【特許請求の範囲】
【請求項１】
逆流防止デバイスであって、
少なくとも２つのポートを備える入口チャンバと、ここで第１のポートが流体を受け取るために使用され、
分離部材およびリリーフ弁を備えるチャンバ分離構成要素と、
前記分離部材によって前記入口チャンバから分離された出口チャンバと
を備え、
前記リリーフ弁は、前記出口チャンバのドレインポートを開放または閉鎖するために前記分離部材と動作的に接続され、
前記分離部材に適用された差圧によって前記リリーフ弁が閉鎖されたときにのみ、前記流体は、前記出口チャンバから送出されることが可能にされる、逆流防止デバイス。
【請求項２】
前記入口チャンバの第２のポートは、前記第１のポートから前記入口チャンバをわたって流れる前記流体を送出するためのばね荷重式入口逆止弁と流体接続される、
請求項１に記載の逆流防止デバイス。
【請求項３】
前記差圧は、前記流体が前記入口チャンバに入るときに前記分離部材にわたって圧力差を生成する前記ばね荷重式入口逆止弁によって生成される、
請求項２に記載の逆流防止デバイス。
【請求項４】
前記入口チャンバの第２のポートは、差圧発生器と、前記第１のポートから前記入口チャンバをわたって流れる前記流体を送出するための入口逆止弁と流体接続される、
請求項１に記載の逆流防止デバイス。
【請求項５】
前記差圧は、前記流体が前記入口チャンバに入るときに前記分離部材にわたって圧力差を生成する前記差圧発生器によって生成される、
請求項４に記載の逆流防止デバイス。
【請求項６】
前記入口逆止弁は、前記流体が前記流体の順方向流路に沿って前記入口チャンバから前記出口チャンバに向かって流れることのみを可能にするために、前記入口チャンバと前記出口チャンバとの間に流体接続される、
請求項２〜５のいずれか一項に記載の逆流防止デバイス。
【請求項７】
前記逆流防止デバイスは、
前記出口チャンバから前記流体を送出するための出口逆止弁を通って前記流体が流れることのみを可能にするために前記出口チャンバに流体接続されている前記出口逆止弁をさらに備え、任意選択的に、前記出口逆止弁は、ばね荷重式である、請求項１に記載の逆流防止デバイス。
【請求項８】
前記逆流防止デバイスは、
前記入口チャンバと前記出口チャンバとの間に、ばね荷重式入口逆止弁、または入口逆止弁と前記入口逆止弁に直列に接続された差圧発生器との組合せのいずれかと並列に流体接続された、前記ドレインポートをすすぎおよび／または消毒するためのドレインポート洗浄弁をさらに備える、請求項１に記載の逆流防止デバイス。
【請求項９】
前記ドレインポートは、前記出口チャンバへの流入路における漏れおよび／または前記出口チャンバからの送出流路における漏れがあるときに、逆流防止手段として前記出口チャンバ内の前記流体を排出するために使用される、
請求項８に記載の逆流防止デバイス。
【請求項１０】
前記分離部材は、可撓性膜として構成され、任意選択的に円形形状で構成される、
請求項１に記載の逆流防止デバイス。
【請求項１１】
前記チャンバ分離構成要素は、前記逆流防止デバイスの対応する内壁から半径方向内向きに延在する支持部分によって支持される、
請求項１に記載の逆流防止デバイス。
【請求項１２】
前記リリーフ弁は、前記分離部材と接続されて一体型アセンブリを形成するリリーフ弁プランジャとして構成される、
請求項１に記載の逆流防止デバイス。
【請求項１３】
前記アセンブリは、前記出口チャンバの底壁上に支持されたばねによって支持され、任意選択的に、前記ばねは、コイルばねであり、前記リリーフ弁プランジャを取り囲む、
請求項１２に記載の逆流防止デバイス。
【請求項１４】
前記逆流防止デバイスは、
前記出口チャンバから第４のポートにおいて送出される流体消費はないが流入路を通って前記出口チャンバに流れる流体があるときに、前記ドレインポートにおける漏れを検出するための流入検出手段をさらに備え、前記流入検出手段は、任意選択的に、前記流入路に配設された電気的に絶縁された入口逆止弁をまたいで配設された一対の電極を備える、請求項１に記載の逆流防止デバイス。
【請求項１５】
前記入口チャンバは、前記出口チャンバの上方に構成され、任意選択的に、各チャンバは、円筒体内に形成される、
請求項１〜１４のいずれか一項に記載の逆流防止デバイス。
【請求項１６】
前記出口チャンバは、少なくとも２つのポートを有し、ここで第３のポートが、前記入口チャンバと前記出口チャンバとの間に流体的に配設された入口逆止弁の出口と流体接続され、第４のポートが、前記出口チャンバから前記流体を送出するための出口逆止弁の入口と流体接続される、
請求項１に記載の逆流防止デバイス。
【請求項１７】
前記リリーフ弁プランジャは、ロッド部分と、前記ロッド部分と比較してより大きい直径を有する封止ヘッド部分とを有し、任意選択的に、前記ロッド部分および前記封止ヘッド部分の両方は、前記分離部材と一体化され、および／または一体に成形される、
請求項１２に記載の逆流防止デバイス。
【請求項１８】
前記ドレインポートは、前記出口チャンバの前記底壁の中央に形成され、および／または
前記ドレインポートは、エアギャップ分離のために漏斗ドレインパイプと流体接続される、
請求項１〜１７のいずれか一項に記載の逆流防止デバイス。
【請求項１９】
少なくとも前記流体と接触する前記逆流防止デバイスの部分は、生体適合材料から形成される、
請求項１に記載の逆流防止デバイス。
【請求項２０】
前記入口チャンバおよび／または前記出口チャンバは、それぞれ高さがその半径よりも小さい円筒空洞を有する、
請求項１５に記載の逆流防止デバイス。
【請求項２１】
請求項１〜２０のいずれか一項に記載の逆流防止デバイスを備える、透析装置。
【発明の詳細な説明】
【技術分野】
【０００１】
本発明は、医療目的のための逆流防止デバイス、および逆流防止デバイスを備えた透析装置に関する。
【背景技術】
【０００２】
逆流防止デバイスは、通常、流体供給源と、流体供給源から流体を受け取るための接続された装置との間に配設され、それにより、接続された装置によって流体供給源が汚染または汚されないように保護する。
【０００３】
エアギャップ分離方法は、逆流汚染リスクを防止するための一般的な手段である。しかしながら、エアギャップ分離方法は、加圧動作などのいくつかの用途では使用することができない。
【０００４】
この場合、逆止弁またはダブルチェック弁の逆流防止器が、逆流防止デバイスの基本形態である。しかしながら、このような逆流防止器は、流体管路内の粒子または破片により弁が不完全に閉鎖されることもあるので信頼性が低く、また時として弁の誤動作も完全に回避することができない。
【０００５】
いくつかの重要な用途では、減圧ゾーン（ＲＴＺ）デバイスなどの冗長性を有するより高度なデバイスが使用される。しかしながら、市場で入手可能なほとんどのＲＴＺデバイスは、主に携帯用給水のために製造されており、以下の理由により医療装置には好適でない。  
１）ほとんどのＲＴＺデバイスは、容易に消毒されない内部流路を有する。このようなデバイスは、分配ラインに細菌を導入する可能性がある大気ベントおよび試験弁を有する。細菌は、デバイスにコロニーをつくり、処理された流体を再汚染する可能性があり、それによって、デバイスが医療装置内で使用される場合に患者に害を引き起こす。  
２）通常の消毒中に従来のＲＴＺデバイスの内部流路内に、化学消毒剤が捕捉され得る。次いで、捕捉された消毒剤は、透析治療中に、処理された流体、例えば逆浸透水に放出され得、それによって、患者を消毒剤の毒性のリスクにさらす。  
３）ほとんどのＲＴＺデバイスは、医療装置と共に使用するのに好適でない材料で構成されている。ある特定の金属は、流体を汚染し、患者に危険を与える可能性がある。
【発明の概要】
【０００６】
先行技術に存在する課題の観点から、本発明の目的は、改善された逆流防止デバイス、および逆流防止デバイスを備えた透析装置を提供することである。
【０００７】
この目的を達成するために、第１の態様によれば、逆流防止デバイスが提供され、本逆流防止デバイスは、少なくとも２つのポートを備える入口チャンバと、ここで第１のポートが流体を受け取るために使用され、分離部材およびリリーフ弁を備えるチャンバ分離構成要素と、分離部材によって入口チャンバから分離された出口チャンバとを備え、リリーフ弁は、出口チャンバのドレインポートを開放または閉鎖するために分離部材と動作的に接続され、分離部材に適用された差圧によってリリーフ弁が閉鎖されたときにのみ、流体は、出口チャンバから送出されることが可能にされる。
【０００８】
任意選択の実施形態によれば、入口チャンバの第２のポートは、第１のポートから入口チャンバをわたって流れる流体を送出するためのばね荷重式入口逆止弁と流体接続される。
【０００９】
任意選択の実施形態によれば、差圧は、流体が入口チャンバに入るときに分離部材にわたって圧力差を生成するばね荷重式入口逆止弁によって生成される。
【００１０】
任意選択の実施形態によれば、入口チャンバの第２のポートは、差圧発生器と、第１のポートから入口チャンバをわたって流れる流体を送出するための入口逆止弁と流体接続される。
【００１１】
任意選択の実施形態によれば、差圧は、流体が入口チャンバに入るときに分離部材にわたって圧力差を生成する差圧発生器によって生成される。
【００１２】
任意選択の実施形態によれば、入口逆止弁は、流体が流体の順方向流路に沿って入口チャンバから出口チャンバに向かって流れることのみを可能にするために、入口チャンバと出口チャンバとの間に流体接続される。
【００１３】
任意選択の実施形態によれば、逆流防止デバイスは、出口チャンバから流体を送出するための出口逆止弁を通って流体が流れることのみを可能にするために、出口チャンバに流体接続されている出口逆止弁をさらに備え、任意選択的に、出口逆止弁は、ばね荷重式である。
【００１４】
任意選択の実施形態によれば、逆流防止デバイスは、入口チャンバと出口チャンバとの間に、ばね荷重式入口逆止弁、または入口逆止弁と入口逆止弁に直列に接続された差圧発生器との組合せのいずれかと並列に流体接続された、ドレインポートをすすぎおよび／または消毒するためのドレインポート洗浄弁をさらに備える。
【００１５】
任意選択の実施形態によれば、ドレインポートは、出口チャンバへの流入路における漏れおよび／または出口チャンバからの送出流路における漏れがあるときに、逆流防止手段として出口チャンバ内の流体を排出するために使用される。
【００１６】
任意選択の実施形態によれば、分離部材は、可撓性膜として構成され、任意選択的に円形形状で構成される。
【００１７】
任意選択の実施形態によれば、チャンバ分離構成要素は、逆流防止デバイスの対応する内壁から半径方向内向きに延在する支持部分によって支持される。
【００１８】
任意選択の実施形態によれば、リリーフ弁は、分離部材と接続されて一体型アセンブリを形成するリリーフ弁プランジャとして構成される。
【００１９】
任意選択の実施形態によれば、アセンブリは、出口チャンバの底壁上に支持されたばねによって支持され、任意選択的に、ばねは、コイルばねであり、リリーフ弁プランジャを取り囲む。
【００２０】
任意選択の実施形態によれば、逆流防止デバイスは、出口チャンバから第４のポートにおいて送出される流体消費はないが流入路を通って出口チャンバに流れる流体があるときに、ドレインポートにおける漏れを検出するための流入検出手段をさらに備える。任意選択的に、流入検出手段は、流入路に配設された電気的に絶縁された入口逆止弁をまたいで配設された一対の電極を備える。
【００２１】
任意選択の実施形態によれば、入口チャンバは、出口チャンバの上方に構成され、任意選択的に、各チャンバは、円筒体内に形成される。
【００２２】
任意選択の実施形態によれば、出口チャンバは、少なくとも２つのポートを有し、ここで第３のポートが、入口チャンバと出口チャンバとの間に流体的に配設された入口逆止弁の出口と流体接続され、第４のポートが、出口チャンバから流体を送出するための出口逆止弁の入口と流体接続される。
【００２３】
任意選択の実施形態によれば、リリーフ弁プランジャは、ロッド部分と、ロッド部分と比較してより大きい直径を有する封止ヘッド部分とを有し、任意選択的に、ロッド部分および封止ヘッド部分の両方は、分離部材と一体化され、および／または一体に成形される。
【００２４】
任意選択の実施形態によれば、ドレインポートは、出口チャンバの底壁の中央に形成され、および／またはドレインポートは、エアギャップ分離のために漏斗ドレインパイプと流体接続される。
【００２５】
任意選択の実施形態によれば、少なくとも流体と接触する逆流防止デバイスの部分は、生体適合材料から形成される。
【００２６】
任意選択の実施形態によれば、入口チャンバおよび／または出口チャンバは、それぞれ高さがその半径よりも小さい円筒空洞を有する。
【００２７】
第２の態様によれば、逆流防止デバイスを備えた透析装置が提供される。
【００２８】
本発明によれば、逆流防止デバイスは、単純な構造、低減されたデッドスペース、および小型サイズを有し、確実に動作することができる。
【００２９】
本発明およびその利点は、いくつかの好ましい例示的な実施形態の下記の詳細な説明を以下の図面を参照して読むことによってさらに理解される。
【図面の簡単な説明】
【００３０】
【図１】本発明の例示的な実施形態による逆流防止デバイスの概略的な断面図を示す。
【図２】図１に示される逆流防止デバイスの一部分の上面図を示す。
【図３】本発明の別の例示的な実施形態による、高流量用途に特に好適な逆流防止デバイスの一部分の概略的な断面図を示す。
【図４】本発明の別の例示的な実施形態による逆流防止デバイスの概略的な断面図を示す。
【好ましい実施形態の詳細な説明】
【００３１】
本発明のいくつかの例示的な実施形態は、本発明の基本概念をよりよく理解するために、図面を参照してより詳細に以下に説明される。
【００３２】
図１は、本発明の例示的な実施形態による逆流防止デバイス１の概略的な断面図を示す。
【００３３】
図１に示されるように、逆流防止デバイス１は主に、第１のポート２１および第２のポート２２を有する入口チャンバ２と、ばね荷重式である入口逆止弁３と、第３のポート４１、第４のポート４２、およびドレインポート４３を有する出口チャンバ４と、好ましくはばね荷重式である出口逆止弁５と、チャンバ分離構成要素６とを備え、ここにおいて、入口チャンバ２は、第１のポート２１を介して流体供給源７から流体を受け取るために使用され、入口逆止弁３は、流体が入口チャンバ２から出口チャンバ４に流れることのみを可能にするために第２のポート２２と第３のポート４１との間に流体接続されており、出口チャンバ４の第４のポート４２は、流体を必要とする装置８と流体接続され、かつ流体が第４のポート４２から装置８に流れることのみを可能にする出口逆止弁５と流体接続され、チャンバ分離構成要素６は、入口チャンバ２を出口チャンバ４から分離する分離部材６１と、分離部材６１と接続され、かつ出口チャンバ４内に位置するリリーフ弁６２とを備える。動作中、リリーフ弁６２は、ばね荷重式入口逆止弁３によって十分な差圧が生成されたときの分離部材６１の移動または弾性変形によって、ドレインポート４３に向かって移動し、ドレインポート４３を封止することができる。ドレインポート４３は動作時に弁座として作用し得るが、「リリーフ弁」という用語は、本願のコンテキストではドレインポート４３を含まない。初期状態では、リリーフ弁６２は、ドレインポート４３を開放しておくためにドレインポート４３から離れている。
【００３４】
図１にさらに示されように、リリーフ弁６２は、好ましくは、分離部材６１と接続されて一体型アセンブリを形成するリリーフ弁プランジャとして構成される。
【００３５】
本発明の例示的な実施形態によれば、流体は、透析液または逆浸透水であり得る。この場合、装置は、透析治療のための透析装置であり得る。
【００３６】
本発明の例示的な実施形態によれば、分離部材６１は、好ましくはリリーフ弁プランジャと一体化される可撓性膜として構成され得、それによって単純な構造設計を達成する。
【００３７】
本発明の例示的な実施形態によれば、図１に示されるように、リリーフ弁プランジャは、ロッド部分６３と、ロッド部分６３と比較してより大きい直径を有する封止ヘッド部分６４とを有する。ロッド部分６３および封止ヘッド部分６４は、同じ材料から分離部材６１と一体化され、および／または小流量用途のために一体に成形される。動作中、封止ヘッド部分６４は、ドレインポート４３を封止するために使用される。
【００３８】
本発明の例示的な実施形態によれば、図１に示されるように、入口チャンバ２および出口チャンバ４は、一方が他方の上に位置合わせされ得る。
【００３９】
図２は、図１に示される逆流防止デバイス１の一部分の上面図を示す。
【００４０】
好ましくは、図１および図２に示されるように、入口チャンバ２および出口チャンバ４の両方は、同じ直径を有する円筒体を各々有する。
【００４１】
本発明のさらなる例示的な実施形態によれば、図１に示されるように、第１のポート２１および第２のポート２２は、入口チャンバ２の円筒体から直径方向外向きに延在し得、および／または第３のポート４１および第４のポート４２は、出口チャンバ４の円筒体から直径方向外向きに延在し得、および／またはドレインポート４３は、出口チャンバ４の底壁の中心から下向きに延在し得る。このような配置により、逆流防止デバイスの流動抵抗を低減することができ、コンパクトな設計を達成することができ、入口チャンバ２および／または出口チャンバ４の内部空間を容易に洗浄および／または消毒することができる。
【００４２】
好ましくは、組み立てられた状態において、第１のポート２１および第４のポート４２は、逆流防止デバイス１を上面から見ると重なるように第１の同じ方向に配向される。同様に、第２のポート２２および第３のポート４１は、組み立てられた状態において、第１の同じ方向とは反対の第２の同じ方向に配向される。このような配置により、逆流防止デバイス１は、整った外観を有し得る。
【００４３】
図１にさらに示されるように、ドレインポート４３は、流体を出口チャンバ４から容器（図示せず）などの任意の好適な手段に排出するために、開放状態で使用されることができる。ドレインポート４３からの汚染をさらに防止するために、ドレインポート４３は、エアギャップ分離のために漏斗ドレインパイプ１７と接続される。
【００４４】
本発明の例示的な実施形態によれば、ドレインポート洗浄弁９が、入口チャンバ２と出口チャンバ４との間に、ばね荷重式入口逆止弁３と並列に、または任意選択的に差圧発生器が直列に接続された入口逆止弁と並列に流体接続され、その結果、分離部材６１にわたる圧力を均等にするためにドレインポート洗浄弁９が開放された場合に、流体は、流体供給源７から、入口チャンバ２、開放されたドレインポート洗浄弁９、および出口チャンバ４を介してドレインポート４３にガイドされることができる。したがって、ドレインポート４３は、流体供給源７からの流体によってすすがれることができる。ドレインポート洗浄弁９により、ドレインポート４３も任意の好適な流体を使用することによって消毒されることができる。
【００４５】
本発明の例示的な実施形態によれば、分離部材６１は円形形状を有し、ドレインポート４３と位置合わせされて配設される。図２において、分離部材６１は破線１０で示されている。
【００４６】
図１に示されるように、分離部材６１は、逆流防止デバイス１の対応する内壁から半径方向内向きに延在する支持部分１１において周方向に支持され得る。
【００４７】
本発明の例示的な実施形態によれば、流体が入口逆止弁３を通って流れるかどうかを検出するために、流入検出手段が設けられる。好ましくは、流入検出手段は、電気的に絶縁された入口逆止弁３をまたいで配設された一対の流入検出電極１２を備える。流体が入口逆止弁３を通って流れると、対の電極１２間の導電率は高くなる。さらに、流入検出手段は、リリーフ弁に漏れがあるかどうかを検出するために使用されることができ、これは以下でさらに説明される。
【００４８】
図３は、本発明の別の例示的な実施形態による、高流量用途に特に好適な逆流防止デバイスの一部分の概略的な断面図を示す。
【００４９】
図３に示されるように、チャンバ分離構成要素６は、ばね１３、好ましくはコイルばねによって支持され得る。ばね１３は、リリーフ弁プランジャの周りに設けられ得、ドレインポート４３を取り囲む出口チャンバ４の底壁の部分によって支持され得る。このようにして、ばね１３は、リリーフ弁プランジャを常に安定させ、ドレインポート４３を完全に閉鎖するための正しい位置に置かれることができる。
【００５０】
逆流防止デバイス１の組み立てを容易にし、逆流防止デバイス１の構造を単純にするために、逆流防止デバイス１は、図３に概略的にのみ示されている、取付け平面１６に沿って嵌合されることができる第１の部分１４と第２の部分１５を備え得る。好ましくは、第１の部分１４と第２の部分１５との間に、Ｏリングまたは弾性分離部材自体などの封止手段が設けられる。本発明の例示的な実施形態によれば、第１の部分１４および第２の部分１５は、ねじまたは他の固定手段（図示せず）によって嵌合される。
【００５１】
本発明の例示的な実施形態によれば、第１の部分１４は、入口チャンバ２およびチャンバ分離構成要素６を少なくとも備え、第２の部分１５は、出口チャンバ４およびドレインポート４３を少なくとも備える。
【００５２】
透析用途の場合、少なくとも流体に接触する逆流防止デバイス１の部分は、熱および化学消毒に耐えることができる生体適合材料から形成される。生体適合材料は、例えば、パリレン、グルチン、ニトロセルロース等であり得る。
【００５３】
本発明の逆流防止デバイス１は、入口チャンバ２および／または出口チャンバ４が、特に入口チャンバ２および／または出口チャンバ４の上述の円筒体の場合に、平滑な輪郭の内部形状および低減されたデッドスペースを有するように構成され得る。
【００５４】
本発明の例示的な実施形態によれば、入口チャンバ２および／または出口チャンバ４は、生物学的問題を回避するためにチャンバ（単数または複数）の内面に沿う十分な流体流れを確保する最小のチャンバ容積を伴うコンパクトな設計を有するように構成され得る。例えば、入口チャンバ２および／または出口チャンバ４は、それぞれ高さがその半径よりも小さい円筒空洞を有するように構成され得る。
【００５５】
以下に、逆流防止デバイス１の動作プロセスが詳細に説明される。
【００５６】
本発明の逆流防止デバイス１は、より低い圧力のゾーンからより高い圧力のゾーンに流体は流れないという水圧原理に基づいて動作する。差圧がばね荷重式入口逆止弁３によって生成されることができると、リリーフ弁６２は、入口チャンバ２内に供給される流体の圧力が出口チャンバ４内の圧力よりも所定の量だけ高いときに閉鎖位置に保持され、次いで、入口チャンバ２内の圧力が入口逆止弁３を開放するのに十分なレベルまで増加した場合に、流体は、出口チャンバ４に流入し、さらに出口逆止弁５を開放する。入口チャンバ２内の圧力が設定値を下回ると、リリーフ弁６２が開放され、次いで出口チャンバ４内の流体がドレインポート４３を介して排出される。出口チャンバ４内の圧力がリリーフ弁６２を開放するのに十分である場合および／または出口逆止弁５に障害が存在する場合もまた、出口チャンバ４内の流体はドレインポート４３を介して排出される。
【００５７】
入口逆止弁３に漏れがある場合、入口チャンバ２および出口チャンバ４内の圧力は等しくなり、リリーフ弁６２は、逆流流体をドレインポート４３に進路を変えるために開放される。
【００５８】
出口逆止弁５に漏れがある場合、逆流流体は、最初に入口逆止弁３によって遮断される。逆流流体圧力がある特定の値に達すると、リリーフ弁６２は開放されて、逆流流体をドレインポート４３に進路を変える。
【００５９】
入口逆止弁３と出口逆止弁５の両方に漏れがある場合もまた、リリーフ弁６２は開放されて、逆流流体をドレインポート４３に進路を変える。
【００６０】
リリーフ弁６２に漏れがある場合、それは、例えば対の電極１２間の導電率を測定することによって流体が入口逆止弁３を通って流れているかどうかを検出することによって、逆流防止デバイス１の下流流路（図示せず）の遮断状態で検出されることができる。この状態で流体が依然として入口逆止弁３を通って流れている場合、リリーフ弁６２に漏れが存在している恐れがある。
【００６１】
差圧が他の様式でも、例えば別個の差圧発生器を使用することによって生成され得ることが、当業者によって理解されるべきである。図４は、本発明の別の例示的な実施形態による逆流防止デバイス１’の概略的な断面図を示す。
【００６２】
図４に示されるように、逆流防止デバイス１’は、入口逆止弁３’と、入口逆止弁３’と直列の差圧発生器１８との組合せが使用されてばね荷重式入口逆止弁３と置き換わっているという点でのみ、逆流防止デバイス１とは異なる。別の実施形態として、差圧発生器１８は、流体が入口チャンバ２に入るときに分離部材６１にわたって圧力差を発生させるために、流体供給源７と入口チャンバ２との間に、好ましくは第１のポート２１の前に設けられる。
【００６３】
本発明によれば、逆流防止デバイスは、単純な構造、低減されたデッドスペース、および小型サイズを有し、確実に動作することができる。
【００６４】
ある特定の実施形態が説明されてきたが、これらの実施形態は例として提示されているだけであり、本発明の範囲を限定することを意図するものではない。添付の特許請求の範囲およびそれらの同等物は、本発明の趣旨および範囲内に入る修正、置換、および変更をすべて網羅することを意図している。
【図１】
2021506502.tif 000003
【図２】
2021506502.tif 000004
【図３】
2021506502.tif 000005
【図４】
2021506502.tif 000006
【国際調査報告】
2021506502.tif 000007
2021506502.tif 000008